(57)【特許請求の範囲】
【請求項１】
消火設備の屋内消火栓箱又は自動火災報知設備の機器収容箱等の筐体前面に設ける防災用表示灯に於いて、
同じ放物面と大きさを持つ第１の放物面鏡と第２の放物面鏡を向い合せて組み合わせ、前記第１の放物面鏡の頭頂部に形成した開口の外側に、前記開口に相対した前記第２の放物面鏡の頭頂部内側に配置した対象物の空中像を形成する空中像形成ユニットと、
前記空中像形成ユニットに前記対象物として配置し、通電により赤色に点灯する赤色表示灯と、
を備え、
前記空中像形成ユニットを前記第１及び第２放物面鏡の合せ面と前記第１又は第２放物面鏡の頭頂部とのなす角度が１５°以下となるように構成し、前記合せ面が前記筐体前面に略平行となり且つ前記開口が前記筐体前面に位置するように前記筐体内に配置し、前記赤色表示灯の点灯による空中像を前記筐体前面から外側に飛び出すように形成する構造としたことを特徴とする防災用表示灯。
【請求項２】
請求項1記載の防災用表示灯に於いて、前記空中像形成ユニットの開口に透明カバー部材を設けたことを特徴とする防災用表示灯。
【請求項３】
請求項１記載の防災用表示灯に於いて、前記空中像形成ユニットの開口が前記筐体前面と略面一となるように配置したことを特徴とする防災用表示灯。
【請求項４】
請求項１記載の防災用表示灯に於いて、前記空中像形成ユニットの開口を前記筐体前面から前方に所定長さ突出して位置するように配置したことを特徴とする防災用表示灯。
【請求項５】
請求項１記載の防災用表示灯に於いて、前記空中像形成ユニットは、前記赤色表示灯の空中像を、筐体前面と１５°以上の角度となる方向に沿って１０メートル離れたところから容易に識別できるように前記開口の外側に形成することを特徴とする防災用表示灯。
【請求項６】
請求項１記載の防災用表示灯に於いて、前記空中像形成ユニットは、前記第２の放物面鏡の頭頂点からの光が鏡面開口縁に入射角１５°で入射し、反射角１５°で反射して前記第１の放物面鏡の開口から外部に出射するように、前第１及び第２の放物面鏡を構成したことを特徴とする防災用表示灯。
【発明の詳細な説明】
【技術分野】
【０００１】
本発明は、消火設備の屋内消火栓箱又は自動火災報知設備の機器収容箱等の筐体前面に設ける防災用表示灯に関する。
【背景技術】
【０００２】
従来、自動火災報知設備の機器収容箱は警戒地区の通路壁面などに設置されている。図７は従来の機器収容箱を示した説明図であり、図７（Ａ）は正面を示し、図７（Ｂ）は側面を示す。
【０００３】
図７に示すように、機器収容箱１００は筐体前面に赤色表示灯１０２と発信機１０４を設け、その間に形成した音響孔１０６の背後となる筐体内にスピーカ等の音響出力機器を配置している。
【０００４】
赤色表示灯１０２は常時点灯して機器収容箱１００の位置を示しており、非常の際に周囲の人に発信機１０４の場所を認識させる。発信機１０４は火災が発生した場合にスイッチカバーとなる保護板を押し込むことにより押釦スイッチをオン操作し、受信機へ火災通報信号を送信して警報させる。受信機は発信機からの火災通報信号を受信して火災警報を出力した場合に地区音響信号を送出し、これにより機器収容箱１００のスピーカを駆動して地区音響警報音を出力させる（特許文献１）。
【０００５】
また、消火設備の屋内消火栓箱についても上部の通報操作パネルに赤色表示灯、発信機、音響孔を設け、屋内消火栓箱の位置を認識させるために赤色表示灯を常時点灯している（特許文献２）。
【０００６】
ここで、屋内消火栓箱に設けた赤色表示灯については、取付け面と１５°以上の角度となる方向に沿って１０メートル離れたところから容易に識別できることを規格により義務付けており、この点は、機器収容箱の赤色表示灯についても同様である。この赤色表示灯を斜め横方向から見た場合の視認性を確保するため、図７（Ｂ）に示すように、赤色表示灯１０２は側面から見て筐体前面から前方に数センチ程度飛び出すように紡錘形の表示灯カバーを装着している。
【０００７】
しかしながら、機器収容箱や屋内消火栓箱の設置場所となる建物廊下等の壁面から通路側に赤色表示灯が飛び出していることから、荷物を移動する場合や通行人が多い場合に通行の妨げてなる可能性がある。
【０００８】
この問題を解決するため、図８に示す表示面をフラットにした赤色表示灯を設けた屋内消火栓箱が実用化されている。図８（Ａ）の正面及び図８（Ｂ）の側面に示すように、屋内消火栓箱１１０は消火栓扉１１４を備えた筐体上部の通報操作パネル１１２に、発信機１０４及び音響孔１０６と共にフラット赤色表示灯１１６を設けている。
【０００９】
フラット赤色表示灯１１６は図８（Ｃ）に取り出して示すように、ＬＥＤを収納した本体１１８の前面にフラットカバ―１２０を設け、三か所の取付部１２２により取付可能としている。
【００１０】
このようなフラット赤色表示灯１１６を使用することで、図８（Ｂ）の側面に示すように、フラット赤色表示灯１１６は筐体前面から前方に飛び出すことがなく、設置場所での通行の妨げとなることを防止可能とする。
【先行技術文献】
【特許文献】
【００１１】
【特許文献１】特開平９−１０２０８５号公報
【特許文献２】特開２００４−２３６９１８号公報
【発明の概要】
【発明が解決しようとする課題】
【００１２】
しかしながら、このような従来のフラット赤色表示灯にあっては、規格で義務付けられた取付け面と１５°以上の角度となる方向に沿って１０メートル離れたところから容易に識別可能とするため、フラットな表示面の径を大きくすることで斜め横方向から見た場合に十分な表示面積を確保可能とし、また、発光源として設けたＬＥＤの数や駆動電力を大きくして発光量を高めるようにしているが、表示部分が筐体前面から前方に飛び出していないことから、横方向からの視認性は図７に示した赤色表示灯に比べ低くならざるを得ず、横方向からの視認性を改善する工夫が更に必要となる。
【００１３】
本発明は、筐体前面から前方に飛び出すことがなく、斜め横方向からの視認性を前方に飛び出して設置している従来の赤色表示灯と同等とすることを可能とする防災用表示灯を提供することを目的とする。
【課題を解決するための手段】
【００１４】
（防災用表示灯)
本発明は、消火設備の屋内消火栓箱又は自動火災報知設備の機器収容箱等の筐体前面に設ける防災用表示灯に於いて、
同じ放物面と大きさを持つ第１の放物面鏡と第２の放物面鏡を向い合せて組み合わせ、第１の放物面鏡の頭頂部に形成した開口の外側に、この開口に相対した第２の放物面鏡の頭頂部内側に配置した対象物の空中像を形成する空中像形成ユニットと、
空中像形成ユニットに対象物として配置し、通電により赤色に点灯する赤色表示灯と、
を備え、
空中像形成ユニットを第１及び第２放物面鏡の合せ面と第１又は第２放物面鏡の頭頂部とのなす角度が１５°以下となるように構成し、合せ面が筐体前面に略平行となり且つ開口が筐体前面に位置するように筐体内に配置し、赤色表示灯の点灯による空中像を筐体前面から外側に飛び出すように形成する構造としたことを特徴とする。
【００１５】
（開口の透明カバー）
空中像形成ユニットの開口に透明カバー部材を設ける。
【００１６】
（空中像形成ユニット開口と筐体前面の位置関係）
空中像形成ユニットの開口が筐体前面と略面一となるように配置する。また、空中像形成ユニットの開口を、筐体前面に配置している他の機器を超えない所定長さだけ突出するように配置しても良い。
【００１７】
(斜め横方向からの視認を可能とする放物面鏡の構成)
空中像形成ユニットは、赤色表示灯の空中像を、筐体前面と１５°以上の角度となる方向に沿って所定距離離れたところから容易に識別できるように開口の外側に形成する。
【００１８】
また、空中像形成ユニットは、第２の放物面鏡の頭頂点からの光が鏡面開口縁に入射角１５°で入射し、反射角１５°で反射して第１の放物面鏡の開口から外部に出射するように、第１及び第２の放物面鏡を構成する。
【発明の効果】
【００１９】
（基本的な効果）
本発明の防災用表示灯は、同じ放物面と大きさを持つ第１の放物面鏡と第２の放物面鏡を向い合せて組み合わせ、第１の放物面鏡の頭頂部に形成した開口の外側に、開口に相対した第２の放物面鏡の頭頂部内側に配置した対象物の空中像を形成する空中像形成ユニットと、空中像形成ユニットに対象物として配置し、通電により赤色に点灯する赤色表示灯とを備え、空中像形成ユニットをその開口が筐体前面に位置するように筐体内に配置し、赤色表示灯の点灯による空中像を筐体前面から外側に飛び出すように形成する構造としたため、筐体前面には空中像形成ユニット内に配置した赤色表示灯の点灯による空中像が筐体前面から外側に飛び出すように形成されることで、従来の筐体前面から飛び出すように設置した従来の赤色表示灯と略同等の前方及び横方向からの視認性が確保でき、しかも筐体前面に飛び出して見えるのは、赤色表示灯そのものではなく、赤色表示灯の光学的な実像としての空中像であり、実体が存在しないことから、設置場所の通路を通る荷物や人の通行を妨げることがない。
【００２０】
（開口の透明カバーによる効果）
また、空中像形成ユニットの開口に透明カバー部材を設けるようにしたため、空中像形成ユニットを構成する第１及び第２の放物面鏡の内部を密閉し、湿気や埃の侵入を阻止して鏡面に水滴や埃が付着して反射率が低下することを防止し、反射率を確保することで開口の外側に鮮明な赤色表示灯の空中像を形成し続けることを可能とする。
【００２１】
（空中像形成ユニット開口と筐体前面の位置関係による効果）
また、空中像形成ユニットの開口が筐体前面と略面一となるように配置するようにしたため、筐体前面からの赤色表示灯の表示構造の飛び出しをなくして設置場所での通行の妨げを防止可能とする。
【００２２】
また、空中像形成ユニットの開口を、筐体前面に配置している他の機器を超えない所定長さだけ突出するように配置することで、通行を妨げない範囲で赤色表示灯の空中像を筐体前方の更に離れた位置に飛び出すように形成して斜め横方向からの視認性を向上可能とする。
【００２３】
(斜め横方向からの視認を可能とする放物面鏡の構成による効果)
また、空中像形成ユニットは、赤色表示灯の空中像を、筐体前面と１５°以上の角度となる方向に沿って所定距離離れたところから容易に識別できるように開口の外側に形成するようにしたため、筐体前面から前方に飛び出すように形成する赤色表示灯の空中像であっても、規格上定められた斜め横方向からの視認性を確実に確保可能とする。
【００２４】
また、空中像形成ユニットは、赤色表示灯を配置する第２の放物面鏡の頭頂点からの光が鏡面開口縁に入射角１５°で入射し、反射角１５°で反射して第１の放物面鏡の開口から外部に出射するように、第１及び第２の放物面鏡を構成するようにしたため、規格上定められた斜め横方向からの視認性を確実に確保し、且つ、機器収容箱や屋内消火栓箱に組込み可能とする大きさをもつ空中像形成ユニットを容易に制作可能とする。
【図面の簡単な説明】
【００２５】
【図１】赤色表示灯の空中像を形成する本発明の防災用表示灯を備えた機器収容箱を示した説明図
【図２】空中像形成ユニットを収納した機器収容箱の側面を一部断面で示した説明図
【図３】空中像形成ユニットを構成する一対の放物面鏡による空中像の形成原理を示した説明図
【図４】図３のＰ１点に赤色表示灯を配置して点灯した場合に形成される赤色表示灯空中像を示した説明図
【図５】筐体前面と１５°以上の角度となる方向から空中像を視認可能とする放物線鏡を構成するための放物線を示したグラフ図
【図６】赤色表示灯の空中像を形成する本発明の防災用表示灯を備えた屋内消火栓箱を示した説明図
【図７】従来の機器収容箱を示した説明図
【図８】フラット赤色表示灯を設けた従来の屋内消火栓箱を示した説明図
【発明を実施するための形態】
【００２６】
［機器収容箱］
(機器収容箱の概要)
図１は赤色表示灯空中像を形成する本発明の防災用表示灯を備えた機器収容箱を示した説明図であり、図１（Ａ）に正面を示し、図１（Ｂ）に側面を示す。
【００２７】
図１に示すように、機器収容箱１０は例えば板金加工等により作られたカバー付きのボックスであり、壁面に埋め込まれるか、又は壁面に取り付けられる。機器収容箱１０の正面のカバープレート１０ａには表示穴２５を形成し、その背後の筐体１０ｂ内に空中像形成ユニット１２を収納配置している。またカバープレート１０ａの下側には赤色に着色した発信機１４を設けると共に中央に音響孔１６を形成し、音響孔１６の背後となる筐体１０ｂ内にスピーカなどの音響装置１５を収納している。
【００２８】
（空中像形成ユニットの概要）
図２は空中像形成ユニットを収納した機器収容箱の側面を一部断面で示した説明図であり、図２（Ａ）は赤色表示灯を消灯した状態を示し、図２（Ｂ）は赤色表示灯を点灯して空中像を形成した状態を示す。
【００２９】
図２（Ａ）に示すように、機器収容箱１０の正面に配置したカバープレート１０ａに形成した表示穴２５の背後に空中像形成ユニット１２を配置している。
【００３０】
空中像形成ユニット１２は、同じ放物面と大きさを持つ第１の放物面鏡１８と第２の放物面鏡２０を向い合せて組み合わせ、第１の放物面鏡１８の頭頂部に形成した開口２２の外側に、開口２２に相対した第２の放物面鏡２０の頭頂部内側に配置した対象物の空中像を形成する。空中像形成ユニット１２により空中像を形成するための対象物として、赤色表示灯２６を第１の放物面鏡１８の開口２２に相対した第２の放物面鏡２０の頭頂部内側に配置している。
【００３１】
なお、同じ大きさの第１の放物面鏡１８と第２の放物面鏡２０とは、同じ形状の放物面鏡であることを意味し、具体的には、開口径と鏡面頭頂部から開口面までの高さが同じ放物面鏡であることを意味する。また、放物面鏡は凹面鏡又はパラボラミーとも呼ばれる。
【００３２】
赤色表示灯２６はＬＥＤ表示部の前に紡錘形をした赤色透光材料による表示灯カバーを装着しており、ＬＥＤに対する通電により赤色に点灯する。本実施形態にあっては、第２の放物面鏡２０の頭頂部に取付穴を形成し、そこに背後から赤色表示灯２６を挿入固定することで配置しており、赤色表示灯２６の後部を取付部２８に装着し、筐体１０ｂに取付け固定している。
【００３３】
なお、第２の放物面鏡２０の頭頂部に取付穴を形成せず、第２の放物面鏡２０の頭頂部内側に赤色表示灯２６を接着等により固定し、信号線を第１の放物面鏡１８との合せ面から引き出すようにしても良い。
【００３４】
図２（Ｂ）に示すように、空中像形成ユニット１２に設けた赤色表示灯２６に通電してＬＥＤの発光駆動により赤色に点灯すると、第１の放物面鏡１８と第２の放物面鏡２０を向い合せて組み合わせたミラー構造により、第１の放物面鏡１８に形成した開口２２から外側に飛び出すように赤色表示灯空中像３０が形成され、この赤色表示灯空中像３０を上下左右となる斜め方向の所定領域から見ることで、立体像として視認することができる。
【００３５】
（空中像の形成原理）
図３は空中像形成ユニットを構成する一対の放物面鏡による空中像の形成原理を示した説明図である。
【００３６】
図３に示すように、同じ放物面と大きさを持つ第１の放物面鏡１８と第２の放物面鏡２０を向い合せて組み合わせたミラー構造により空中像を形成する装置は、空中に像を形成する簡単な装置として知られている。
【００３７】
図３に示すように、同じ放物面と開口径を持つ第１の放物面鏡１８と第２の放物面鏡２０を向い合せて組み合わせたミラー構造において、第２の放物面鏡２０の頭頂部となるＰ１点から出て第１の放物面鏡１８における開口２２の縁部のＱ点に向かった光は、図示で垂直下方に反射し、第２の放物面鏡２０のＲ点で反射し、開口２２内に位置する第１の放物面鏡１８の頭頂部となるＰ２点を通ってＳ方向に出て行く。
【００３８】
また、第２の放物面鏡２０の頭頂部となるＰ１点から出て第１の放物面鏡１８と第２の放物面鏡２０の合せ面となるＴ点に向かった光は、そこで反射して開口２２内に位置する第１の放物面鏡１８の頭頂部となるＰ２点を通ってＵ方向に出て行く。このようなＰ１点から出た光が反射して出て行く方向は、垂直軸周りの３６０°方向について同じとなる。
【００３９】
このため第１の放物面鏡１８の開口２２から出て行くＰ１点からの光をみることのできる範囲は、斜線で示す可視領域３２となり、可視領域３２の下側の角度θの範囲は不可視領域となる。また可視領域３２に囲まれた開口２２に相対する領域３４はＰ１点からの光を直接見る直視領域３４となる。
【００４０】
図４は、図３のＰ１点に赤色表示灯を配置して点灯した場合に形成される赤色表示灯空中像を示した説明図である。図４に示すように、第２の放物面鏡２０の頭頂部となるＰ１点に赤色表示灯２６を配置して点灯した場合、赤色表示灯２６から出た光は図３に示す経路により反射した後に開口２２のＰ２点に結像し、Ｐ２点に実像としての赤色表示灯空中像３０を形成し、斜線で示す可視領域３２に目をおいた場合、開口２２から外側に飛び出すように形成した赤色表示灯空中像３０を視認することができる。一方、可視領域３２を外れた下側の角度θの不可視領域にあっては、Ｐ１点からの光は届かないため、赤色表示灯空中像３０を視認することはできない。
【００４１】
また、開口２２に相対した垂直方向の直視領域３４に目を置いた場合には、開口２２を介して内部の赤色表示灯２６を直接視認することができる。
【００４２】
（斜め１５°以上を可視領域とする空中像形成ユニットの構成）
本実施形態の機器収容箱に用いる防災用表示灯にあっては、規格上、カバープレート１０ａによる筐体前面と１５°以上の角度となる方向に沿って１０メートル離れたところから容易に識別できるようにする必要がある。
【００４３】
図５は筐体前面との１５°以上を可視領域とする放物線鏡を構成するための放物線を示したグラフ図である。
【００４４】
図５に示すように、放物線５０とは、準線と呼ばれる直線５２と、その上にない焦点Ｆが与えられた場合、準線５２と焦点Ｆをともに含む唯一の平面上の点Ｐであって、Ｐ点から焦点Ｆへの距離ＰＦと等しい距離ＰＱをもつような準線５２上のＱ点が存在する軌跡として定義される平面曲線である。
【００４５】
ここで、放物線５０上の点をＰ（ｘ，ｙ）、焦点をＦ（０，ａ）、準線５２の式をｙ＝−ａとすると、ＰＱ＝ＰＦの関係から
ｙ＋ａ＝｛（ｘ２＋（ａ−ｙ）２）１／２
となり、これを整理すると放物線５０は
ｙ＝ｘ２／４ａ                  （式１）
となる。
【００４６】
ここで、図３に示したように、筐体前面との１５°以上を可視領域３２とするためには、Ｐ１点からでた光がＴ点に角度θで入射し、Ｔ点から同じ角度θで出て行く場合の入射角及び出射角となる角度θをθ＝１５°となるように放物面を決めれば良い。
【００４７】
そこで図５の放物線５０について原点からｘ軸に対し角度θ=１５°の直線５４を引き、放物線５０との交点Ｐ（ｘ，ｙ）を求める。
【００４８】
ここで、交点Ｐの座標値ｘ，ｙの間には、
ｙ＝ｘｔａｎθ
の関係があり、ｔａｎθ＝ｔａｎ１５°＝０．２６７９とすると、
ｙ＝０．２６７９ｘ              （式２）
となる。
【００４９】
このため機器収容箱１０に収納する空中像形成ユニット１２に使用する第１の放物面鏡１８及び第２の放物面鏡２０の例えば開口半径ｘを決めると、式２から高さｙが一義的に決まる。例えば放物面鏡の開口半径ｘをｘ＝１０ｃｍとすると、高さｙはｙ＝２．６７９ｃｍにとなる。
【００５０】
このサイズの放物面鏡を形成するための放物線５０は、式１にｘ＝１０ｃｍ、ｙ＝２．６７９ｃｍを代入して焦点Ｆを決めるａの値を求めると
ａ＝ｘ２／４ｙ=９．３３２
となり、放物線５０の方程式は
ｙ＝０．０２６７９ｘ２
となる。
【００５１】
また、放物面鏡の開口半径ｘをｘ＝１５ｃｍとした場合には、同様にして、高さｙ＝４．０１６（ｃｍ）、ａ＝２０．９９７となり、放物線５０の方程式は
ｙ＝０．０１１９１ｘ２
となる。
【００５２】
このように機器収容箱に組込み可能な放物面鏡の開口半径又は高さを設定することで、筐体前面と１５°以上を可視領域とする放物線を求め、この放物線を３６０°回転して得られる放物面鏡を設計することで、第１の放物面鏡１８と第２の放物面鏡２０を制作することができる。
【００５３】
［屋内消火栓箱］
図６は赤色表示灯の空中像を形成する本発明の防災用表示灯を備えた屋内消火栓箱を示した説明図であり、図６（Ａ）に正面を示し、図６（Ｂ）に側面を示す。
【００５４】
図６に示すように、屋内消火栓箱３６は例えば板金加工等により作られた箱型筐体の扉開口部に横開きに開閉する消火栓扉４０を設け、その上部の通報操作パネル３８に、図１に示した機器収容箱の場合と同様に、通報操作パネル３８の中央上部に表示穴４２を形成し、その背後の筐体内に空中像形成ユニット１２を収納配置している。また通報操作パネル３８の表示穴４２の下側には赤色に着色した発信機１４を設けると共に、両側に音響孔１６を形成し、音響孔１６の背後となる筐体１０ｂ内にスピーカなどの音響装置を収納している。
【００５５】
屋内消火栓箱３６に設けた空中像形成ユニット１２は図２乃至図４に示したと同じものであり、同じ放物面と大きさを持つ第１の放物面鏡１８と第２の放物面鏡２０を向い合せて組み合わせ、第１の放物面鏡１８の頭頂部に形成した開口２２の外側に、開口２２に相対した第２の放物面鏡２０の頭頂部内側に配置した赤色表示灯２６を点灯した場合、赤色表示灯空中像３０を開口２２の外側に飛び出すように形成し、この赤色表示灯空中像３０を上下左右の所定領域となる斜め方向から立体像として視認することができる。
【００５６】
また、赤色表示灯空中像３０は屋内消火栓箱３６から通路側に飛び出して見えるが、これは光学的に形成された実像であり、実体が存在する訳ではないので、設置場所に面した通路の通行を妨げることはない。
【００５７】
また、図５に示した角度θ=１５°の放物線に基づく放物面鏡を第１の放物面鏡１８及び第２の放物面鏡２０として制作し、向かい合うように組み合せて空中像形成ユニット１２を構成することで、筐体前面と１５°以上の角度となる方向に沿って１０メートル離れたところから容易に識別できる、とする規格上の要求を満たすことを可能とする。
【００５８】
［本発明の変形例］
（空中像形成ユニットの配置）
上記の実施形態では、空中像形成ユニットの開口が筐体前面と略面一となるように配置しているが、空中像形成ユニットの開口を、筐体前面に配置している発信機や音響孔を超えない所定長さだけ突出するように配置しても良い。このように空中像形成ユニットの開口を筐体前面から突出した位置に配置することで、前方通路の通行を妨げない範囲で、赤色表示灯の空中像を筐体前方の更に離れた位置に飛び出すように形成して斜め横方向からの視認性を向上可能とする。
【００５９】
（赤色表示灯の形状）
上記の実施形態は、空中像を形成する元となる赤色表示灯として、従来の紡錘形の表示灯カバーを備えた赤色表示灯を使用しているが、赤色表示灯が通路側に飛び出すことがないことから、表示灯カバーに安全性を考慮して丸みをつける必要はなくなっており、紡錘形以外に円筒形や角柱形等の適宜の飛び出し形状とすることができる。
【００６０】
（赤色表示灯の動作）
上記の実施形態は赤色表示灯を常時点灯としているが、必要に応じて所定周期で赤色表示灯を間欠点灯（フリッカ点灯）しても良い。赤色表示灯を間欠点灯した場合には、筐体前面から飛び出した前方位置に、赤色表示灯の空中像が間欠的に出現することとなり、認性を更に向上可能とする。
【００６１】
（赤色表示灯の設置機器）
上記の実施形態は、機器収容箱や屋内消火栓箱に設けた赤色表示灯を例にとるものであったが、他の防災機器に使用している赤色表示灯についても、本実施形態の防災用表示灯をそのまま適用することができる。
【００６２】
（その他）
また、本発明は上記の実施形態に限定されず、その目的と利点を損なうことのない適宜の変形を含み、更に上記の実施形態に示した数値による限定は受けない。
【符号の説明】
【００６３】
１０：機器収容箱
１０ａ：カバープレート
１０ｂ：筐体
１２： 空中像形成ユニット
１４：発信機
１６：音響孔
１８：第１の放物面鏡
２０：第２の放物面鏡
２２：開口
２４：透明カバー
２５，４２：表示穴
２６：赤色表示灯
２８：取付部
３０：赤色表示灯空中像
３２：可視領域
３４：直視領域
３６：屋内消火栓箱
３８：通報操作パネル
４０： 消火栓扉
【図１】
0006375196.tif 000002
【図２】
0006375196.tif 000003
【図３】
0006375196.tif 000004
【図４】
0006375196.tif 000005
【図５】
0006375196.tif 000006
【図６】
0006375196.tif 000007
【図７】
0006375196.tif 000008
【図８】
0006375196.tif 000009